(57)【特許請求の範囲】
【請求項１】
陰茎（２）の亀頭のつけ根またはその隣接領域に局所刺激を与える器具（１）であって、
ほぼ陰茎の長手方向の輪郭に沿った凹面からなる第１接触面を有する接触部分を備えていること、
この接触部分はさらに凸面からなる第２接触面を有し、第２接触面は、使用の際に、陰茎の亀頭のつけ根またはその近傍に接触する、第１接触面の内側部分から陰茎の方に向かって立ち上がった部分を有すること、
上記接触部分はさらに複数の側方翼（７）を有し、各側方翼は、第２接触面の両側から立ち上がった部分が、使用中、陰茎の暈の裏面をほぼ取り囲んで接触する形状に延びていること、及び
上記複数の側方翼はその先端部が互いに離間していること、
を特徴とする刺激器具。
【請求項２】
請求項１記載の刺激器具において、上記第２接触面は弓状の輪郭を有する刺激器具。
【請求項３】
請求項１または２記載の刺激器具において、上記第２接触面は、ドーム形状を有する刺激器具。
【請求項４】
請求項１乃至３の何れか１項記載の刺激器具において、上記第１接触面と第２接触面の一方または双方は、複数の突出部を有する刺激器具。
【請求項５】
請求項１乃至４の何れか１項記載の刺激器具において、上記各側方翼は、複数の刺激突出部を有する刺激器具。
【請求項６】
請求項１乃至５の何れか１項記載の刺激器具において、上記接触部分は開放された半円筒状部材として形成されていて、使用の際に、陰茎の下側に対して保持可能な刺激器具。
【請求項７】
請求項６記載の刺激器具において、上記各側方翼は、上記半円筒状部材の内面に備えられている刺激器具。
【請求項８】
請求項１乃至７の何れか１項記載の刺激器具において、上記立ち上がった第２接触面は柔軟性がある刺激器具。
【請求項９】
請求項１乃至８の何れか１項記載の刺激器具において、さらに上記第１接触面及び第２接触面の一方または双方を振動させるバイブレーターを備えている刺激器具。
【請求項１０】
請求項１乃至９の何れか１項記載の刺激器具において、さらに、第２接触部分の接触部分を運動うねとする励振手段を備えている刺激器具。
【請求項１１】
請求項１０記載の刺激器具において、上記励振手段は、接触部分に適切な形状の波を発生させる、機械及び（又は）流体による振動部材により構成されている刺激器具。
【請求項１２】
請求項１乃至１１の何れか１項記載の刺激器具において、上記接触面の先端縁部は、亀頭の輪郭に沿って傾斜した形状である刺激器具。
【請求項１３】
請求項１乃至１２の何れか１項記載の刺激器具は、該刺激器具を所定位置に保持するためのリングまたは不連続なリングを有する刺激器具。
【請求項１４】
請求項１乃至１３の何れか１項記載の刺激器具において、上記第２接触面は、半球または三角錐（円錐）状の輪郭を有するように形成されている刺激器具。
【請求項１５】
請求項１乃至１４の何れか１項記載の刺激器具において、さらに、
局所刺激を陰茎の亀頭のつけ根または隣接領域に与える、内方から陰茎に向いた第１接触部分：及び
女性性器に刺激を与える、第２外向き接触部分：を備えている刺激器具。
【請求項１６】
請求項１乃至１５の何れか１項記載の刺激器具において、上記第１接触部分及び第２接触部分の一方または双方はそれぞれ、波状の外形を有する刺激器具。
【請求項１７】
請求項１６記載の刺激器具において、上記接触面には、少なくとも、うね、ディンプル、突出部及び溝の何れかが複数形成されている刺激器具。
【請求項１８】
請求項１乃至１７の何れか１項記載の刺激器具において、使用者の陰茎の下側面に面する上記第１接触面及び第２接触面は、ともに複雑な曲面で形成されている刺激器具。
【請求項１９】
請求項１８記載の刺激器具において、上記複雑な曲面は、陰茎を収容する長さの管を構成する第１の凹んだ曲面と、上記管を横断するこぶを形成する第２曲面とを有する刺激器具。
【請求項２０】
請求項１乃至１９の何れか１項記載の刺激器具において、さらに上記接触部分から続く側面部分を備え、この側面部分には、刺激器具の使用者が保持するための領域となる、対向した凹み部分を有している刺激器具。
【請求項２１】
請求項２０記載の刺激器具において、上記対向した凹み部分は、片手の親指と他の指とで刺激器具を掴むフランジを構成している刺激器具。
【請求項２２】
請求項２０または２１項記載の刺激器具において、上記各凹み部分を有する領域一方または双方には、さらに、本刺激器具に備えられたバイブレーターまたは励振手段のスイッチが組み込まれている刺激器具。
【発明の詳細な説明】
【技術分野】
【０００１】
本発明は、身体の部分、特に陰茎を刺激する器具に関する。
【背景技術】
【０００２】
本発明の出願人は、この種の刺激器具をEP1049433A1号公報により開示している。EP1049433A1号公報において、出願人は、早漏にかかわる問題を軽減する方法を提案している。この方法は、陰茎を局所刺激するものであり、射精に導かれるかもしれない他の刺激に対して鈍感で堪えられる。その結果、射精までの時間を延ばすことができる。
【０００３】
EP1049433A1号公報に開示された刺激器具は陰茎リングに関するものであって、断面略三角形部分を有し、陰茎の軸方向であって、亀頭の付け根の陰茎腹部領域に接しているときに、与えられた刺激動作に対する総合的な感度を減少させる効果が得られる。早漏で苦しむ人々の射精遅延時間は、上記刺激器具を使用した人々の６１パーセントが平均１１倍であったのに比べ、認知行動療法を受けた人々の４０パーセントが３倍であったことが、医学研究報告によって証明されている。
【先行技術文献】
【特許文献】
【０００４】
【特許文献１】EP1049433A1号公報
【発明の概要】
【発明が解決しようとする課題】
【０００５】
本出願人は、自分の発明に基づいて刺激効果を改善することに成功した。
【課題を解決するための手段】
【０００６】
本発明の第一の態様では、陰茎の亀頭のつけ根またはその隣接領域に局所刺激を与える器具であって、ほぼ陰茎の長手方向に沿った輪郭の第１接触面を有する接触部分を備えていること、及びこの接触部分はさらに第２接触面を有し、第２接触面は、使用の際に、陰茎の亀頭のつけ根またはその近傍に接触する、第１接触面の内側部分から陰茎の方に向かって立ち上がった部分を有すること、に特徴を有する。
【０００７】
さらに出願人は、刺激効果を高め、過敏性を減じる方法に必須の改良刺激器具を発明した。この刺激器具が陰茎に保持されたとき、第１接触面は、この刺激器具内の所定位置に位置及び整列し、第２接触面は、第１接触面の内方に備えられていて、陰茎の亀頭の根元領域に強く接触する。
【０００８】
好ましくは、第２接触面は弓状外形、例えばドーム形状とする。これは、陰茎の目標領域に作用する３次元刺激面を提供する。
【０００９】
第１及び第２接触面の一方または双方は、複数の突出部を備えている。これらの突出部は、各接触面から略直交方向に延びるように形成されることが好ましい。このような突出部は、本刺激器具の刺激効果を強烈にすることができる。
【００１０】
上記接触部分はさらに複数の側方翼を備えていて、各側方翼は、両側から立ち上がった第２接触面が、使用中に、陰茎のコロナの下側（裏面）またはその近隣をほぼ取り囲んで接触するように延びている。このように、より広い面が本刺激器具によって囲まれ、陰茎のより広い領域が本刺激器具によって作用を受ける。
上記両側方翼は、複数の刺激突出部を備えることができる。
【００１１】
好ましくは、上記接触部分は開放されたチャンネルの一部（半円筒状の管）として形成されていて、使用の際に、陰茎の下側に対して保持される。このような管形状は、特に、陰茎上でその長手方向の往復運動を容易にするのに適している。
上記第１接触面は、このため、刺激器具を容易に使用者の陰茎に並べて包み込むことができる輪郭とされている。
【００１２】
好ましくは、上記側方翼は、上記半円筒状開放管の内面に備えられる。上記開放管は、側方翼のための最適な支持面を提供する。
【００１３】
上記立ち上がった第２接触面は、柔軟性があることが好ましい。この第２接触面は、圧力を及ぼすために適度な硬さを持っているが、それらが接触している間、陰茎の皮膚を傷つけないように、陰茎の輪郭に沿うくらい十分柔らかい。上記接触面は、このため、局所刺激を陰茎の特別な領域に与えるように決められた輪郭を持つことが好ましいが、しかし接触面は、陰茎の異なる外形に対する適応する程度の柔軟性を有することが好ましい。
【００１４】
好ましくは、本発明の刺激器具は、第１及び第２接触面の一方または両方、あるいは開放管の全てを振動させるバイブレーターを備えている。バイブレーターの振動周期は、本発明の刺激器具の刺激効果を最適化するように定めることができる。
【００１５】
本発明の刺激器具はさらに、接触部分の可動うねを設けるための励振手段を備えている。上記励振手段は、接触部に最適な形状の波を発生させる、機械又は（及び）流体による振動部材から構成することができる。
【００１６】
本発明の他の実施形態は、陰茎の亀頭のつけ根領域に局所刺激を与える刺激器具であって、接触部分は、１個または複数の刺激突出部を有する接触面を備え、上記接触面はほぼ開放された管（半円筒状の管）に備えられていて、使用の際に、少なくとも亀頭の裏面を囲むように接触することに特徴を有する。このような開放管またはスリーブ管は、本発明刺激器具の要素を最適に支持する。
【００１７】
好ましくは、接触面の先端縁部は、亀頭の輪郭に沿って傾斜した形状とする。このような形状は、陰茎との接触を高める。
【００１８】
本発明の刺激器具はさらに管形状の本体を有し、接触部が上記本体の内側面に形成されている。開放管またはスリーブ管は、容易に使用可能で、本刺激器具の要素を備えた、容易に保持されて使用される刺激器具を提供する。
【００１９】
本発明は、陰茎を刺激から鈍感にして射精までの時間を延ばす方法の態様では、
ａ）上記いずれかの請求項に記載の刺激器具を慣用的用法で使用し、手技でまたは上述のバイブレーターまたは励振手段を使用して、亀頭のつけ根及びその隣接部分の一方または両方を、射精の衝動を感じるまで往復させる段階と、
ｂ）休止のために上記往復させるのを中断する段階と、
ｃ）上記往復させるのを再開する段階と、を含み、
上記各段階を、最長３０分間、または「引き返し限界点」まで繰り返すこと、に特徴を有する。これは、「スタート-ストップ技術」として知られている。
【００２０】
好ましくは、刺激器具は最長３０分間、少なくとも週１回、最長６週間、使用する。医学研究によれば、本発明の刺激器具は、最長３０分間、少なくとも週に３回、最長６週間使用することが最良であると報告されている。
【００２１】
本発明のさらに別の態様によれば、男性と女性のパートナーを同時に刺激する器具であって、局所刺激を陰茎の亀頭のつけ根または隣接領域に与える、内方から陰茎に向いた第１接触部分：この器具はさらに、女性性器に刺激を与える、第２外向き接触部分：を備えたことに特徴を有する。この刺激器具は、リング形状とすれば、前戯の間または男性と女性の鋭敏な性交の間、女性を刺激する性玩具として使用することが可能である。
【００２２】
好ましくは、第１及び第２接触部分の一方または両方は、波状とする。このような接触面は、うね、ディンプル、突出部及び溝のいずれか一つまたは複数で形成される。
【００２３】
好ましい実施形態では、使用者の陰茎の下側面に対向した第１及び第２接触面は、複雑な曲面で形成されている。このような複雑な曲面は、陰茎を収容する長さの管を構成する第1凹曲面と、上記管を横断するこぶを形成する第２凹曲面を有している。
【００２４】
上記複雑な曲面は、双曲放物面、すなわち鞍形状とすることができる。
【００２５】
本発明の刺激器具は、上記接触部分から続く側面部分には、この刺激器具の使用者が保持する領域となる、対向した凹みを有してもよい。さらに好ましくは、この対向した凹み部分には、片手の親指と他の指とで刺激器具を掴むフランジを構成している。
【００２６】
好ましい実施形態では、複雑な曲面は、本刺激器具のマッサージ及び刺激効果を最適化するための突出部を備えている。
【００２７】
本刺激器具の側部の各凹み部分を有する領域の一方または双方には、さらに、該刺激器具に備えられたバイブレーターまたは励振手段のスイッチを組み込むことができる。
【００２８】
本発明の刺激器具は、該刺激器具を所定位置に保持するためのリングまたは不連続なリングを含むことができる。
【００２９】
好ましい実施形態では、第２接触面の輪郭が半球または三角錐状に形成されている。
【発明の効果】
【００３０】
本発明によれば、早漏に苦しむ人を助けることができる。
【図面の簡単な説明】
【００３１】
【図１】陰茎に装着した本発明刺激器具の側面図である。
【図２】図１に示した同刺激器具の使用状態を示す一部断面図である。
【図３】同刺激器具の側面図である。
【図４】同刺激器具の平面図である。
【図５】本発明の他の実施形態を示した斜視図である。
【図６】図５に示した他の実施形態を下から見て、一部アウトライン（輪郭だけ）で示した斜視図である。
【発明を実施するための形態】
【００３２】
本発明の実施形態について、添付図面を参照して説明する。図１から図４には、陰茎２を刺激する刺激器具１が示されている。この刺激器具は、実質的に半円筒断面から形成された、開放管またはスリーブ状の半円筒状部材３を備えている。このような半円筒状部材は、特に勃起または半勃起したときの陰茎の本体部の下側の形状にほぼ適合する。このため、その接触部分は、刺激器具を使用者の陰茎に容易に収容及び整列させることができる輪郭に形成されている。これにより本刺激器具は、使用の間、簡単確実に正しい位置に保持される。
【００３３】
半円筒状部材の内面には、ドーム４の形で突出した部分が備えられている。ドーム４は、半円筒状部材の上端部の中心内に向かって延びている。ドーム４は、半円筒状部材の内方に、すなわち、陰茎の主要部の下側の輪郭内に向かって延びている。本刺激器具の接触部を構成する第１接触面、つまり、亀頭またはその近傍に位置する、半円筒状部材の全体的な輪郭を形成する部分は、図１に示したように、陰茎の軸方向に沿ってほぼ直線上に延びている。ドーム４は、その全体的な輪郭から外れた第２の接触面を備えていて、このドーム４は、陰茎の亀頭５のつけ根領域に強く係合する。第２接触面が第１接触面から相対的に立ち上がっている結果、第１接触面が陰茎上に位置されたときに、第２接触面と亀頭とがより強く接触する。
【００３４】
ドーム４は、その三次元的輪郭により、陰茎の亀頭５の付け根との接触領域が著しく増加し、大きくされている。実際、ドーム４は、図２に示したように陰茎のコロナ（亀頭冠）６の下側との接触を強めている。この強められた接触は、この刺激器具の刺激及び過敏性を減じる効果を増加する。
【００３５】
図３及び図４は、半円筒部材に備えられた側方翼（サイドウィング）７を示している。これらの側方翼７は、さらに陰茎との接触を増進し、特にコロナ６の下側を囲む。図示したように、これらの側方翼７の輪郭は、コロナ６をその輪郭に沿って囲み、陰茎のこの領域に接触するように最適化されている。
【００３６】
本刺激器具は、第１、第２接触面を取り囲むのに適切な形状であって、ユーザー１２による使用が容易になるように管状またはスリーブ管状の部材として示されている。この半円筒状部材は、この刺激器具の第１接触面の長さが、陰茎の長さに沿った軸方向の往復運動が容易になる長さとされている。
【００３７】
しかしながら、他の形状も可能であって、例えば、ドーム４及び側方翼７を、不連続な（an interrupted）リングまたはリング部材に備えることができる。本刺激器具は、例えば、使用状態に保持するために、支持帯１１を備えてリング状とすることもできる。
【００３８】
接触面は、図示されたように、接触面から直交方向に突出した複数の突出部８を備えている。これら突出部８は、この刺激器具の刺激効果を高める。これらの突出部８は如何なる適切な形状であってもよく、例えば、うね、ディンプル、または溝でもよい。
【００３９】
図２に示したように、振動部材９をドーム内に備えることができる。この振動部材９は、スイッチ１０を介して制御することができる。この振動部材９は、ユーザーの要求に適応するように異なる振動パターンを備えることができる。このようなパターンの一つは、振動速度のレンジまたは選定された振動パターンに従って接触面が軸方向に往復運動するのを許容し、これは平坦またはより小さなドーム形状でもドーム効果を発揮する。
【００４０】
さらに、本刺激器具は、素材が最適であれば、膣を貫通する性行為に使用できる。この点で、半円筒状部材３及びバンド１１は、そのような挿入を許すように可能な限り薄くする。
【００４１】
半円筒状部材３及び帯１１の一方または双方の外面には、さらに山の背、ディンプル、溝のような刺激突出部を備えると、女性も男性と同時に刺激効果を受けることができる。言い換えると、前戯の間そのペアは、正常位で寝て男性の陰茎が女性の性器の上に乗ったときに半円筒状部材３の下側の外面が、例えば、陰核に刺激効果を与えることができる。あるいは、性行為の間、リングの外面の突出部が女性の性器に接触するように位置する。このような刺激的な突出部は、図１及び図２に鎖線（破線）で示した部材１３、１４のように半円筒状部材及びバンドの少なくとも一方の立ち上がり面に備えることができる。これらの部材１３、１４は、例えばドーム形状のようなアーチ状の輪郭をなし、より強い刺激を与えるように、振動駆動される。
【００４２】
本発明はしたがって、陰茎が鈍感に寛容になるように刺激する刺激器具であって、それによって射精までの潜伏期間を延ばすことが可能になり、早漏で苦しむ人が使って有用である。
【００４３】
本発明は、要約すると、陰茎を鈍感にする方法であって、刺激器具を使い、刺激器具を繰り返し使うことを原則とし、陰茎を刺激に鈍感にする方法である。このため、刺激器具の刺激効果を最適化するために、好ましくは１回３０分以内で週３回、６週間に渡って使用し、上記スタート-ストップの技術に従うことを原則とする。この方法によれば、この刺激器具が陰茎の下面に対して保持され、陰茎がかき立てられる（stoked）。
【００４４】
図５及び図６は本発明のさらに別の実施形態を示している。この実施形態において、本発明の刺激器具は比較的コンパクトなユニット２０の形をしていて、その上部陰茎対向面２１は複雑な曲面になっている。その複雑な曲面は、使用者の陰茎の亀頭またはその近傍の長さに適応させたチャンネル２２によって規定された第１の凹面と、チャンネル２２を横断するように延びたこぶ２３で形成された複雑な曲面からなる第２の凸面の結合によって形成されている。この半円筒状部材は、使用者の陰茎上における刺激器具の正しい初期 位置決めと把持を補助するように作用する。こぶ２３は、少なくとも亀頭の裏面に掛かるように形成されている。複雑な曲面は、実質的には、"サドル（鞍）形状"または双曲放物面になっている。
【００４５】
本発明のユニット（刺激器具）２０は、接触部とは別に側部２４を有し、各側部２４に形成された対向凹部領域２６が、本ユニット２０の使用者のための把持領域を提供する。把持領域は、使用者の親指と指を受けるように構成されている。振動部材を制御するスイッチ２７は、上記凹部領域に設けられている。
【００４６】
複雑な曲面はさらに、ユニット２０の刺激機能をアップするように、うねまたはディンプル２８のような突出部を備えている。
【産業上の利用可能性】
【００４７】
本発明による刺激器具は、早漏に苦しむ人を助ける器具として使用可能である。
【符号の説明】
【００４８】
１  支持帯、サポートバンド(supporting band) 
２  陰茎、ペニス(penis) 
３  半円筒状部材(channel member)
４  ドーム(dome)
５  亀頭(glans) 
６  コロナ（亀頭冠）
７  側方翼(side wings)
８  突出部 (protrusions)
９  振動部材(vibrating means)
１０  スイッチ(switch)
１１  支持帯 (supporting band)
１２  使用者(user)
１３  １４  構成部分(elements)
２０  ユニット(unit)
２１  上部陰茎対向面(upper penis-facing surface)
２２  管(channel)
２３  こぶ(hump)
２４  横部分side portions
２６  凹部(recessed portions)
２７  スイッチ(switch)
２８  うねまたはディンプル(ridges or dimples)
【図１】
0005572630.tif 000002
【図２】
0005572630.tif 000003
【図３】
0005572630.tif 000004
【図４】
0005572630.tif 000005
【図５】
0005572630.tif 000006
【図６】
0005572630.tif 000007